【事件の表示】
　特願２０１６−１６７３３９号「遊技機」拒絶査定不服審判事件〔平成３０年３月８日出願公開、特開２０１８−３３５４９号〕について、次のとおり審決する。
【結　論】
　本件審判の請求は、成り立たない。
【理　由】
第１　手続の経緯の概要
　本願は、平成２８年８月２９日の出願であって、平成２９年７月２０日付けで拒絶の理由が通知され、同年８月３０日に意見書及び手続補正書が提出されたところ、同年９月６日付け（発送日：同年９月１２日）で拒絶査定（以下「原査定」という。）がなされ、それに対して、同年１２月６日に拒絶査定不服審判の請求がなされると同時に手続補正がなされたものである。
　
第２　平成２９年１２月６日にされた手続補正についての補正却下の決定
［補正の却下の決定の結論］
　平成２９年１２月６日にされた手続補正（以下「本件補正」という。）を却下する。
　
［理由］
　１　補正の内容
　本件補正により、平成２９年８月３０日付け手続補正書の特許請求の範囲の請求項１における
「導光板と、前記導光板に光拡散部材を介して光を照射する光源と、を備える遊技機であって、
　前記光拡散部材には、前記光源の照射方向とは反対側の端部に、前記光源から照射される光を拡散させる光拡散部が設けられ、
　前記光拡散部には、溝が形成されていることを特徴とする遊技機。」は、審判請求時に提出された手続補正書（平成２９年１２月６日付け）における「導光板と、前記導光板に光拡散部材を介して光を照射する光源と、を備える遊技機であって、
　前記光拡散部材には、前記光源の照射方向とは反対側の端部に、前記光源から照射される光を拡散させる光拡散部が設けられ、
　
前記光拡散部は、
　
円弧状に形成され、前記光源の照射方向とは反対側の端面にローレット溝が形成され、前記光源と前記光拡散部の頂部とが対応するように配置可能な位置決め部を有している
　
　２　補正の適否
　本件補正は、補正前の請求項１に記載した発明を特定するために必要な事項である「光拡散部」について、「光拡散部には、溝が形成されている」とあったものを「光拡散部は、円弧状に形成され、前記光源の照射方向とは反対側の端面にローレット溝が形成され、前記光源と前記光拡散部の頂部とが対応するように配置可能な位置決め部を有している」と限定することを含むものである。
　
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、本件補正は、願書に最初に添付した明細書の【００７４】、【図１１】、【図１４】等の記載からみて、新規事項を追加するものではないから、特許法第１７条の２第３項に規定する要件を満たす。
　
　３　独立特許要件
　そこで、本件補正後の請求項１に係る発明（以下「本件補正発明」という。）が特許出願の際に独立して特許を受けることができるものであるか、すなわち、特許法第１７条の２第６項において準用する同法第１２６条第７項の規定に適合するかについて、以下に検討する。 
　（１）本件補正発明 
　本件補正発明は、次のとおりのものであると認める（記号Ａ〜Ｃは、分説するため審決にて付した。）。
「Ａ　導光板と、前記導光板に光拡散部材を介して光を照射する光源と、を備える遊技機であって、
Ｂ　前記光拡散部材には、前記光源の照射方向とは反対側の端部に、前記光源から照射される光を拡散させる光拡散部が設けられ、
Ｃ　前記光拡散部は、
　円弧状に形成され、前記光源の照射方向とは反対側の端面にローレット溝が形成され、前記光源と前記光拡散部の頂部とが対応するように配置可能な位置決め部を有していることを特徴とする遊技機。」
　
　（２）刊行物に記載された事項
　原査定の拒絶理由において提示された、本願の出願前に頒布された刊行物である特開２０１１−２３９８００号公報（以下「刊行物」という。）には、図面と共に次の事項が記載されている（下線部は当審で付した。以下同様。）。
　
　・記載事項
　　　ア　「【技術分野】
【０００１】
　本発明は、始動入賞領域への遊技球の入賞に基づき、識別図柄を変動表示させる変動表示ゲームを表示可能な表示装置を備え、変動表示ゲームの表示結果が特別結果となった場合に遊技者に有利な特別遊技状態を発生させる
遊技機
　
　　　イ　「【発明が解決しようとする課題】
【０００４】
　しかしながら、上記特許文献１には、表示ユニット自体については開示がなされているものの、遊技機の表示装置として当該表示ユニットをどのようにして使用するかについて具体的な開示がなされていない。
【０００５】
　本発明は、上記の課題に鑑みてなされたもので、従来にない斬新な演出表示を行うことで遊技の興趣を高めることができる遊技機を提供することを目的とする。」
　
　　　ウ　「【０１７６】
　次に、表示ユニット８００について説明する。図１８（ｂ）は、表示ユニット８００の分解斜視図である。
【０１７７】
　表示ユニット８００は、導光板８２１〜８２３の側面８２１ａ〜８２３ａから照射した光を当該導光板８２１〜８２３の平面部に形成されたパターン溝（異方性反射パターン）Ｔ１〜Ｔ６（図２２参照）で反射させることにより、当該パターン溝Ｔ１〜Ｔ６で表される識別図柄（例えば文字や図形）を発光表示させる装置であり、表示ユニット支持部材７４１の台座７４１ｂの上に取り付けられている。発光表示された識別図柄は、導光板表示装置カバー部材７４２の開口部７４２ａを介して遊技機１０の前面側から視認可能となっている。
　
表示ユニット８００は、
導光板８２１
照射装置８４０
等から構成されている。
　
　　　エ　「【０１８１】
　次に、照射装置８４０の構成について説明する。図１９（ａ）は、照射装置８４０の分解斜視図、図１９（ｂ）は、照射装置８４０の正面図、図１９（ｃ）は、（ｂ）のＡ−Ａ断面図である。
【０１８２】
　照射装置８４０は、複数の導光板８２１〜８２３の側方より、
導光板８２１
の側面８２１ａ
に出射光を均一に照射し、
　
照射装置８４０は、
ＬＥＤ基板８４２、レンズ部材８４１
等から構成されている。
【０１８３】
　レンズ部材８４１は、
ＬＥＤ基板８４２の各ＬＥＤ８４２ａ〜８４２ｆ
レンズ体８４１１
は
その長手方向の一側面（導光板８２１
の側面８２１ａ
と対向する面）には、半円状の円弧部８４１１ａ
が複数並べて形成されている。
【０１８４】
　ＬＥＤ基板８４２は、その表面に６個のＬＥＤ８４２ａ〜８４２ｆが実装された矩形板状の部材である。各ＬＥＤ８４２ａ〜８４２ｆは、複数の導光板８２１〜８２３にそれぞれ対応するように縦方向に２列、横方向に３列で配置されている。具体的には、横方向に隣り合うＬＥＤは、レンズ部材８４１の各レンズ体８４１１〜８４１３の間隔と等しい間隔で配置され、
縦方向に隣り合うＬＥＤは、
レンズ部材８４１の隣り合う円弧部と円弧部との間に配置されている。
  なお、ＬＥＤ基板８４２は、各ＬＥＤ８４２ａ〜８４２ｆを同一色のもののみで構成してもよいし、ＬＥＤ８４２ａ〜８４２ｆのうち何れかを他と異なる色で発光するようにしてもよいし、３色ＬＥＤを用いることにより任意の色で発光可能な構成としてもよい。
【０１８５】
　照射装置ベース部材８４３は、ＬＥＤ基板８４２及びレンズ部材８４１を収納するための部材で、前面開口の箱形状に形成されている。照射装置ベース部材８４３の背面中央部には、ＬＥＤ基板８４２のコネクタ８４２ｇを裏面側に露出させるためのコネクタ穴８４３ｄが内側に貫通するように形成されている。
照射装置ベース部材８４３前面の矩形状の開口の上部及び下部には、レンズ部材８４１の各レンズ体８４１１〜８４１３の上端部及び下端部を嵌め込むための嵌込み溝８４３ａ〜８４３ｃがそれぞれ形成されている。照射装置ベース部材８４３の収納部の奥行きと嵌込み溝８４３ａ〜８４３ｃの深さは、
レンズ部材８４１の裏面とＬＥＤ８４２ａ〜８４２ｃとが離間するように調節されている。
【０１８６】
　
照射装置カバー部材８４４は、ＬＥＤ基板８４２及びレンズ部材８４１を照射装置ベース部材８４３とで挟持する
【０１８７】
　次に、各導光板８２１〜８２３、レンズ部材８４１及びＬＥＤ基板８４２の位置関係について説明する。図２０は、表示ユニット８００のうち、導光板８２１〜８２３、レンズ部材８４１及びＬＥＤ基板８４２のみを示した斜視図である。
　図２０に示すように、最も前側の
第１導光板８２１、レンズ体８４１１及びＬＥＤ８４２ａ，８４２
と同一面上に並ぶように配置され、ＬＥＤ８４２ａ、８４２ｄがレンズ体８４１１の背面と対向し、レンズ体８４１１の前面が第１導光板８２１の側面８２１ａと対向している。
　
ＬＥＤ８４２ａ，８４２ｄが点灯すると、その光はレンズ体８４１１で拡散され、導光板８２１に入射する。
【０１８８】
　次に、導光板表示装置７４０における発光表示の原理について説明する。図２１（ａ）は、照射装置８４０の縦断面を側方から示した図であり、図２１(ｂ)は、第１導光板８２１の横断面を上方から示した図である。
【０１８９】
　ＬＥＤ基板８４２の各ＬＥＤ８４２ａ〜８４２ｃから光が照射されると、図２１（ａ）に示すように、各ＬＥＤ８４２ａ〜８４２ｃに対応するレンズ体の裏面に光が入射される。各レンズ体８４１１〜８４１３に
入射された光は
円弧部８４１１ａ
の曲面で屈折する。これにより、ＬＥＤ８４２ａ〜８４２ｃの光が均一に拡散され、
　
　上記ア〜エの記載事項、及び、図面の図示内容を総合勘案すると、刊行物には、次の発明（以下「刊行物発明」という。）が記載されていると認められる（ａ〜ｃは、本件補正発明の構成Ａ〜Ｃに対応させて付与した。）。
「ａ　第１導光板８２１や、ＬＥＤ８４２ａ、ｄを設けたＬＥＤ基板８４２、レンズ体８４１１を含み、第１導光板８２１の側面８２１ａに出射光を均一に照射する照射装置８４０等から構成されている表示ユニット８００を備える遊技機であって（【０１７７】、【０１８２】、【０１８７】、【０００１】）、
　第１導光板８２１、レンズ体８４１１、及び、ＬＥＤ８４２ａ、ｄは、同一面上に並ぶように、ＬＥＤ８４２ａ、ｄがレンズ体８４１１の背面と対向し、第１導光板８２１の側面８２１ａがレンズ体８４１１の前面と対向して配置され（【０１８７】）、
　ＬＥＤ８４２ａ、ｄが点灯すると、その光はレンズ体８４１１で拡散され、第１導光板８２１に入射され（【０１８７】）、
　
ｂ　レンズ体８４１１には、その長手方向の一側面（導光板８２１の側面８２１ａと対向する面）に、ＬＥＤ８４２ａ、ｄから入射された光をその曲面で屈折し、均一に拡散する、半円状の円弧部８４１１ａを複数並べて形成され（【０１８３】、【０１８９】）、
　
ｃ　照射装置ベース部材８４３前面の矩形状の開口の上部及び下部には、レンズ部材８４１のレンズ体８４１１〜８４１３の上端部及び下端部を嵌め込むための嵌込み溝８４３ａ〜ｃが形成され、照射装置ベース部材８４３の収納部の奥行きと嵌込み溝８４３ａ〜ｃの深さは、レンズ体８４１１の裏面とＬＥＤ８４２ａ〜ｆとが離間するように調節され、
　ＬＥＤ基板８４２及びレンズ部材８４１を照射装置ベース部材８４３と照射装置カバー部材８４４とで挟持することにより、
　縦方向に隣り合うＬＥＤ８４２ａ、ｄが、レンズ体８４１１〜８４１３の隣り合う半円状の円弧部８４１１ａと半円状の円弧部８４１１ａとの間に配置され（【０１８３】〜【０１８６】）た遊技機。」
　
　（３）対比
　本件補正発明と刊行物発明とを対比する（対比にあたっては、本件補正発明の構成Ａ〜Ｃと刊行物発明の構成ａ〜ｃについて、それぞれ（ａ）〜（ｃ）の見出しを付して行った。）。
　　（ａ）刊行物発明における「第１導光板８２１」、「レンズ体８４１１」は、それぞれ、本件補正発明における「導光板」、「光拡散部材」に相当する。
　そして、刊行物発明における「第１導光板８２１の側面８２１ａに出射光を均一に照射する照射装置８４０」の「ＬＥＤ８４２ａ、ｄ」は、本件補正発明における「導光板に」「光を照射する光源」に相当する。
　また、刊行物発明は、「第１導光板８２１、レンズ体８４１１、及び、ＬＥＤ８４２ａ、ｄ」の配置からみて、「レンズ体８４１１の背面と対向」する「ＬＥＤ８４２ａ、ｄ」からの光を、「レンズ体８４１１」を介在させて、「側面８２１ａ」が「レンズ体８４１１の前面」と対向する「第１導光板８２１」に「照射する」ものである。
　したがって、刊行物発明における「点灯すると、その光はレンズ体８４１１で拡散され、導光板８２１に入射」される「ＬＥＤ８４２ａ，８４２ｄ」は、本件補正発明における「導光板に光拡散部材を介して光を照射する光源」に相当する。
　ゆえに、刊行物発明における構成ａは、本件補正発明における構成Ａに相当する。
　
　　（ｂ）刊行物発明は、構成ａより、「レンズ体８４１１」の「第１導光板８２１の側面８２１ａ」が対向している面と、反対側の面において「ＬＥＤ８４２ａ，８４２ｄ」と対向しているものと認められる。
　そうすると、刊行物発明における「レンズ体８４１１」の「長手方向の一側面（導光板８２１の側面８２１ａと対向する面）」は、「ＬＥＤ８４２ａ，ｄ」が対向している面とは、反対側の面であるから、本件補正発明における「光拡散部材」の「光源の照射方向とは反対側の端部」に相当する。
　そして、刊行物発明における「ＬＥＤ８４２ａ〜８４２ｃから入射された光をその曲面で屈折し、均一に拡散する」ことは、本件補正発明における「光源から照射される光を拡散させる」ことに相当する。
　したがって、刊行物発明における構成ｂの「半円状の円弧部８４１１ａ」は、本件補正発明における構成Ｂの「光拡散部」に相当する。
　
　　（ｃ）刊行物発明における「半円状の円弧部８４１１ａ」は、本件補正発明における「円弧状に形成され」た「光拡散部」に相当する。
　
　そして、刊行物発明における「レンズ体８４１１〜８４１３の隣り合う半円状の円弧部８４１１ａと半円状の円弧部８４１１ａとの間に配置され」ることと、本件補正発明における「光源と光拡散部の頂部とが対応するように配置可能な」こととは、「光源と光拡散部の頂部とが所定の位置関係となるように配置可能な」ことで共通する。
　また、刊行物発明における「収納部の奥行きと嵌込み溝８４３ａ〜ｃの深さ」は、「レンズ体８４１１の裏面とＬＥＤ８４２ａ、ｄとが離間するように調節」するものであることに加え、「縦方向に隣り合うＬＥＤ８４２ａ、ｄが、レンズ体８４１１〜８４１３の隣り合う半円状の円弧部８４１１ａと半円状の円弧部８４１１ａとの間に配置され」るように位置決めする機能も奏するものであるから、本件補正発明における「位置決め部」に相当する。
　したがって、刊行物発明における構成ｃと、本件補正発明における構成Ｃとは、「光拡散部は、円弧状に形成され、」「光源と前記光拡散部の頂部とが」所定の位置関係となるように「配置可能な位置決め部を有している」ことで共通する。
　
　よって、両者の一致点および相違点は、次のとおりである。
［一致点］
「Ａ　導光板と、前記導光板に光拡散部材を介して光を照射する光源と、を備える遊技機であって、
Ｂ　前記光拡散部材には、前記光源の照射方向とは反対側の端部に、前記光源から照射される光を拡散させる光拡散部が設けられ、
Ｃ’前記光拡散部は、
　円弧状に形成され、前記光源と前記光拡散部の頂部とが所定の位置関係となるように配置可能な位置決め部を有している遊技機。」
　
［相違点１］（構成Ｃ）
　円弧状に形成された光拡散部に関して、
　本件補正発明は、光源の照射方向とは反対側の端面にローレット溝が形成されるのに対して、
　刊行物発明は、そのような構成を備えているか明らかでない点。
　
［相違点２］（構成Ｃ）
　光拡散部の位置決め部に関して、
　本件補正発明は、光源と前記光拡散部の頂部とが対応するように配置可能であるのに対して、
　刊行物発明は、そのような構成を備えていない点。
　
　（４）判断
　　　ア　相違点１（構成Ｃ）について
　上記相違点１について検討する。
　遊技機の技術分野において、光の拡散効率を向上させるために、光拡散部における、光源の照射方向とは反対側の端面にローレット溝を形成することは、本願の出願前に周知の技術事項である（例えば、特開２０１０−１８８０６１号公報の【００３６】、【図３】には、光を効率よく拡散するために、隆起部２２の表面にローレットなどの凹凸表面加工が施されていることが記載され、特開２０１０−２００８７８号公報の【００４９】、【００５０】、【図５】には、レンズ３６の前面に３角波ローレット形状の光拡散部３６ａが形成されていることが記載されている。以下「周知の技術事項１」という。）。
　そして、刊行物発明の「レンズ体８４１１」に形成された「半円状の円弧部８４１１ａ」も、「光を」「均一に拡散する」という作用を奏するものである。
　したがって、刊行物発明の「レンズ体８４１１」に形成された「半円状の円弧部８４１１ａ」も、上記周知の技術事項１も、光を効率よく拡散するという共通の作用を奏するものである。
　ゆえに、刊行物発明の「レンズ体８４１１」に形成された「半円状の円弧部８４１１ａ」に上記周知の技術事項１を適用して、「半円状の円弧部８４１１ａ」の表面にローレット溝を形成し、上記相違点１に係る本件補正発明の構成とすることは、当業者が容易になし得たものである。
　
　　　イ　相違点２（構成Ｃ）について
　上記相違点２について検討する。
　遊技機の技術分野において、導光板を備えた表示装置において、光源の中心と光拡散部の頂部の幅方向の中央位置とを１対１に対応するように配置することは、本願出願前に周知の技術事項である（例えば、特開２０１４−２３６４７号公報の【００９２】、【図１０】や、特開２０１４−１９５５７７号公報の【００７４】、【図１０】には、各表示用ＬＥＤの中心と、集光レンズ５０７の各凸部５１８の左右方向の中央位置とを対応して配置させたことが記載されている。以下「周知の技術事項２」という。）。
　したがって、刊行物発明において、ＬＥＤ基板８４２、レンズ体８４１１等から構成される照射装置８４０に上記周知の技術事項２を適用して、縦方向に隣り合うＬＥＤ８４２ａ、ｄの中心と、レンズ体８４１１の隣り合う半円状の円弧部８４１１ａの頂部の幅方向の中央位置とを１対１に対応するように配置し、上記相違点２に係る本件補正発明の構成とすることは、当業者が必要に応じてなし得たものである。
　
　　　ウ　請求人の主張について
　請求人は、平成２９年１２月６日付け審判請求書の「（４）本願発明と引用発明との対比」において、次のとおり主張をする。
「Ｄ．
　上記引用文献１〜３の記載に基づいても、本願発明の請求項１記載の発明の特徴である、「
前記光拡散部は、円弧状に形成され、前記光源の照射方向とは反対側の端面にローレット溝が形成され、前記光源と前記光拡散部の頂部とが対応するように配置可能な位置決め部を有している
Ｅ．
　そして、本願発明では、光拡散部に形成されたローレット溝によって、光源から照射される光を、拡散させて照射される光のムラを低減させて、導光板に表わされる絵柄、文字等に、すじ模様が浮かび上がる現象を抑制することができる。
　さらに付言すると、光源と光拡散部の頂部とが対応するように配置可能な位置決め部により、導光板に表わされる絵柄、文字等に、すじ模様が浮かび上がる現象を抑制できる位置に、容易に位置決めすることができ、製造工数、製造コストを低減させることができる。」
　
　そこで、請求人の上記主張について、検討する。
　本件補正発明における構成Ｃの「光拡散部は、円弧状に形成され」る構成については、上記「（３）対比（ｃ）」において検討したように、刊行物発明が備える構成である。
　そして、本件補正発明における構成Ｃの「光拡散部」について、「光源の照射方向とは反対側の端面にローレット溝が形成され」る構成については、上記「（４）判断ア　相違点１（構成Ｃ）について」において検討したように、光の拡散効率を向上させるために、光拡散部における、光源の照射方向とは反対側の端面にローレット溝を形成することは、本願の出願前に周知の技術事項であって、刊行物発明の「レンズ体８４１１」に形成された「半円状の円弧部８４１１ａ」に上記周知の技術事項１を適用することにより当業者が容易になし得たものである。
　また、本件補正発明における構成Ｃの「光拡散部は」、「光源と光拡散部の頂部とが対応するように配置可能な位置決め部を有している」ことは、上記「（４）判断イ　相違点２（構成Ｃ）について」において検討したように、導光板を備えた表示装置において、光源の中心と光拡散部の頂部の幅方向の中央位置とを１対１に対応するように配置することは、本願の出願前に周知の技術事項であって、刊行物発明に上記周知の技術事項２を適用することにより当業者が容易になし得たものである。
　よって、請求人の上記主張を採用することはできない。
　
　　　エ　小括
　本件補正発明により奏される効果は、刊行物発明、及び、上記周知の技術事項１〜２から当業者が予測できる効果の範囲内のものであり、格別なものではない。
　そうすると、上記ア〜ウにおいて検討したとおり、本件補正発明は、刊行物発明、及び、上記周知の技術事項１〜２に基づいて当業者が容易に発明をすることができたものであるから、特許法第２９条第２項の規定により、特許出願の際に独立して特許を受けることができないものである。
　
　（５）まとめ
　上記（１）〜（４）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１に係る発明（以下「本願発明」という。）は、平成２９年８月３０日付け手続補正書により補正された特許請求の範囲の請求項１に係る発明は、次のとおりのものと認める（記号Ａ〜Ｃは、分説するため当審にて付した。）。 
「Ａ　導光板と、前記導光板に光拡散部材を介して光を照射する光源と、を備える遊技機であって、
Ｂ　前記光拡散部材には、前記光源の照射方向とは反対側の端部に、前記光源から照射される光を拡散させる光拡散部が設けられ、
Ｃ１　前記光拡散部には、溝が形成されていることを特徴とする遊技機。」
　
　２　拒絶の理由（平成２９年７月２０日付け）
　原査定の拒絶の理由の概要は、
「１．（新規性）この出願の下記の請求項１〜２に係る発明は、その出願前に日本国内において、頒布された下記の刊行物１に記載された発明であるから、特許法第２９条第１項第３号に該当し、特許を受けることができない。
　
２．（進歩性）この出願の下記の請求項１〜２に係る発明は、その出願前に日本国内において、頒布された下記の刊行物１に記載された発明に基いて、その出願前にその発明の属する技術の分野における通常の知識を有する者が容易に発明をすることができたものであるから、特許法第２９条第２項の規定により特許を受けることができない。」というものである。
　
　　　　　　　　　　　　＜引用文献等一覧＞
　　１．特開２０１１−２３９８００号公報
　
　３　刊行物に記載された事項
　原査定の拒絶理由において提示された、引用文献１である特開２０１１−２３９８００号公報（前記「刊行物」に対応する。）には、前記「第２　３（２）刊行物に記載された事項」に示した刊行物発明が記載されている。
　
　４　対比
　本願発明と刊行物発明とを対比すると、刊行物発明における構成ａ、ｂに、本願発明における構成Ａ、Ｂが、それぞれ、相当することは、前記「第２　３（３）対比」にて示したとおりであるから、両者は、次の相違点３において相違し、その余の点において一致する。
　
［相違点３］（構成Ｃ１）
　本願発明は、光拡散部には、溝が形成されているのに対して、刊行物発明は、そのような構成を備えているか明らかでない点。
　
　５　判断
　上記相違点３について検討する。
　遊技機の技術分野において、光の拡散効率を向上させるために、光拡散部に溝を形成することは、本願の出願前に周知の技術事項である（例えば、原査定の拒絶理由において提示された特開２０１３−１６９２５１号公報の【００２２】，【図１１】には、演出ボタン光拡散体６４の上面に複数の溝を形成し、光を拡散させることが記載され、同じく、原査定時に提示された特開２０１４−１８３７１号公報の【０１２４】、【図２２】、【図２３】には、「大波拡散部材３２３における大波発光基板３２４側の面には、多数の溝５３１により起伏が設けられ、この多数の溝５３１により、渦ＬＥＤ５２１から大波発光基板３２４の板面内に入り込んだ光が反射し、大波部材２０１の前面側に光が照射される。」ことが記載され、上記特開２０１０−１８８０６１号公報の【００３６】、【図３】には、光を効率よく拡散するために、隆起部２２の表面にローレットなどの凹凸表面加工が施されていることが記載され、上記特開２０１０−２００８７８号公報の【００４９】、【００５０】、【図５】には、レンズ３６の前面に３角波ローレット形状の光拡散部３６ａが形成されていることが記載されている。以下「周知の技術事項３」という。）。
　そして、刊行物発明に記載された「レンズ体８４１１」に形成された「半円状の円弧部８４１１ａ」も、「光を」「均一に拡散する」という作用を奏するものである。
　したがって、刊行物発明の「レンズ体８４１１」に形成された「半円状の円弧部８４１１ａ」も、上記周知の技術事項３も、光を効率よく拡散するという共通の作用を奏するものである。
　ゆえに、刊行物発明の「レンズ体８４１１」に形成された「半円状の円弧部８４１１ａ」に上記周知の技術事項３を適用して、「半円状の円弧部８４１１ａ」の表面に溝を形成し、上記相違点３に係る本願発明の構成とすることは、当業者が容易になし得たものである。
　そして、本願発明により奏される効果は、刊行物発明、及び、上記周知の技術事項３から当業者が予測できる効果の範囲内のものであり、格別なものではない。
　よって、本願発明は、刊行物発明、及び、上記周知の技術事項３に基づいて当業者が容易に発明をすることができたものである。
　
　６　むすび
　以上のとおりであるから、本願発明は、特許法第２９条第２項の規定により特許を受けることができない。
　したがって、本願は拒絶すべきものである。
　
　よって、結論のとおり審決する。